(57)【特許請求の範囲】
【請求項１】
溶融状態の非晶性熱可塑性樹脂製シートを分割金型間に配置して、型締めすることにより非晶性熱可塑性樹脂製シートを挟み込むとともに分割金型間の空気を加圧および／または減圧することによって金型形状に沿った形状に成形する樹脂成形品の製造方法であって、
ダイより押し出した溶融状態の非晶性熱可塑性樹脂製シートと表皮材とを間隔を開けて配置された一対のローラ間に垂下させ、
少なくとも非晶性熱可塑性樹脂製シートおよび表皮材の下端が一対のローラ間を通過した後に一対のローラ間の間隔を閉じて溶融状態で押し出した非晶性熱可塑性樹脂シートと表皮材を一対のローラ間で挟圧して貼合一体化し、
一対のローラで溶融状態の非晶性熱可塑性樹脂製シートと表皮材を挟圧しながら下方へ向かって送り出して表皮材が金型のキャビティ側となるように金型間に配置することを特徴とし、
前記非晶性熱可塑性樹脂製シートの２３０℃におけるメルトテンションが５０ｍＮ以上、２００℃におけるＭＦＲが３．０〜６０ｇ／１０分であり、前記表皮材の引張強度が１５ｋｇ／ｃｍ２以上であることを特徴とする樹脂成形品の製造方法。
【請求項２】
前記一対のローラは、回転同調機構により回転速度が同一となるように構成されていることを特徴とする請求項１記載の樹脂成形品の製造方法。
【請求項３】
熱可塑性樹脂をアキュムレータを介してダイに供給することを特徴とする請求項１または２記載の樹脂成形品の製造方法。
【請求項４】
熱可塑性樹脂をダイのスリットの開口から１ｃｍ２当たり５０ｋｇ／時以上で押し出すことを特徴とする請求項１から３のいずれか１項記載の樹脂成形品の製造方法。
【発明の詳細な説明】
【技術分野】
【０００１】
本発明は、溶融状態で押し出した非晶性熱可塑性樹脂シートと表皮材を一対のローラ間で挟圧して貼合一体化し、表皮材が金型のキャビティ側となるように金型間に配置して樹脂成形品を成形する樹脂成形品の成形方法に関するものである。
【背景技術】
【０００２】
従来、シート状のパリソンを用いてブロー成形を行う方法として特許文献１または特許文献２に記載のものが知られていた。特許文献１記載の成形方法にあっては、環状パリソンに比べてドローダウンが生じやすいシート状のパリソンを用いる場合に、シート状のパリソンを環状の流路が２つに分岐された形状の樹脂押出路を有する押出ヘッドより横断面形状が半弦状の一対のシート状パリソンを押出すことでドローダウンを防止することが開示されている。具体的には、押出しヘッドより押出垂下される２枚のシート状パリソンがローラ状の案内部材にて対向間隔が広がる方向に案内され、このときの案内抵抗により押出ヘッドから案内部材間におけるパリソンのドローダウンを防止しながら分割金型の合わせ面近傍に垂下し、ついで分割金型を締めて上記一対のシート状パリソンの周囲を密着すると共にシート状パリソン内に圧力流体を導入して中空体を形成する。また、特許文献２記載の成形方法にあっては、押し出されたシートを一対の挟持ローラで挟持し、各シートの少なくとも表面を加熱して、光沢出しされたシートをけん引してブロー成形金型内に供給することでドローダウンの異なるシートであっても光沢されたシートを金型間に供給し、ブロー成形することができることが開示されている。
【先行技術文献】
【特許文献】
【０００３】
【特許文献１】特開昭６１−２６１０２１号公報
【特許文献２】特開平１１−５２４８号公報
【発明の概要】
【発明が解決しようとする課題】
【０００４】
従来技術のようにローラを用いた場合であっても、金型への転写性、追随性を良好とするため流動性の高い非晶性熱可塑性樹脂材料を用いる場合には、押し出されたシートの自重によって下方へ垂れ下がる所謂ドローダウン現象を十分に解消することは困難であるとともに、流動性の高い樹脂材料は押し出されたシートの幅が押し出し方向中央で狭くなる所謂ネックイン現象も生じ、成形品の肉厚にバラツキが生じてしまうため、成形品の偏肉、破れ等が発生する虞がある。
【０００５】
そこで本発明は、ダイより押し出した溶融状態の非晶性熱可塑性樹脂製シートと表皮材とを一対のローラ間で挟圧して貼合一体化し、表皮材が金型のキャビティ側となるように金型間に垂下状に配置される溶融状態の非晶性熱可塑性樹脂製シートと表皮材とを一体化して非晶性熱可塑性樹脂製シートのダウンロード現象に起因する偏肉、破れ等の発生および非晶性熱可塑性樹脂製シートと表皮材との貼合歪みの発生を確実に防止することができる樹脂成形品の成形方法を提供するものである。
【課題を解決するための手段】
【０００６】
本発明における樹脂成形品の成形方法は、溶融状態の非晶性熱可塑性樹脂製シートを分割金型間に配置して、型締めすることにより非晶性熱可塑性樹脂製シートを挟み込むとともに分割金型間の空気を加圧および／または減圧することによって金型形状に沿った形状に成形する樹脂成形品の製造方法であって、ダイより押し出した溶融状態の非晶性熱可塑性樹脂製シートと表皮材とを間隔を開けて配置された一対のローラ間に垂下させ、少なくとも非晶性熱可塑性樹脂製シートおよび表皮材の下端が一対のローラ間を通過した後に一対のローラ間の間隔を閉じて溶融状態で押し出した非晶性熱可塑性樹脂シートと表皮材を一対のローラ間で挟圧して貼合一体化し、一対のローラで溶融状態の非晶性熱可塑性樹脂製シートと表皮材を挟圧しながら下方へ向かって送り出して表皮材が金型のキャビティ側となるように金型間に配置することを特徴とし、前記非晶性熱可塑性樹脂製シートの２３０℃におけるメルトテンションが５０ｍＮ以上、２００℃におけるＭＦＲが３．０〜６０ｇ／１０分であり、前記表皮材の引張強度が１５ｋｇ／ｃｍ２以上であることを特徴とするものである。
【０００７】
そして、本発明に係る樹脂成形品の成形方法においては、熱可塑性樹脂を押出機で溶融混練した後、アキューム室に貯留して一定間隔でプランジャーを用いてＴダイに供給することで、Ｔダイのスリット開口面積１ｃｍ２当り５０ｋｇ／時以上の押出し速度で、かつ０．６〜６．０ｍｍの厚さのシートとして間欠的に押出し、さらに溶融状態で押し出した熱可塑性樹脂シートと表皮材をローラ間で挟圧して貼合一体化し、表皮材が金型のキャビティ側となるように金型間に垂下させ、金型のキャビティに密着させて表面透明性、表面光沢性またはシボ模様等を有する外観意匠性の高い樹脂成形品を成形することが好適であり、さらに樹脂成形品はＴダイより押し出された１枚の熱可塑性樹脂シートから形成し、溶融状態で押し出した熱可塑性樹脂シートと表皮材をローラ間で挟圧して貼合一体化し、外観意匠性の高い多層単壁構造の樹脂成形品を成形することが好適である。
【０００８】
シボ模様は、梨地、線シボ、皮シボ、ヘアライン調、木目調などの凹凸模様であり、そのシボ模様の十点平均深さＲｚ（μｍ）が２〜５００、十点平均深さ２〜５００、好ましくは１０〜８０のものである。
【０００９】
本発明において、溶融状態で押し出した熱可塑性樹脂シートを、一端冷却させることなく、そのまま直接金型で成形する。さらに、溶融状態で押し出した熱可塑性樹脂シートと表皮材はローラ間で挟圧して貼合一体化させることで、表皮材は熱変形温度以上に温められ、表皮材を金型のキャビティ側となるように金型間に垂下させ、金型のキャビティに圧接密着するので、キャビティの微小凹凸形状を再現することが可能となる。特に、このような理由から、本発明は、２３０℃におけるメルトテンションが５０ｍＮ以上、好ましくは１２０ｍＮ以上であり、２００℃におけるＭＦＲが３．０〜６０ｇ／１０分、好ましくは１０〜４０ｇ／１０分の流動性に優れた熱可塑性樹脂を押し出し、表皮材と貼合一体化させて平均肉厚０．６〜６．０ｍｍ、好ましくは１．５〜３．０ｍｍの立体形状に成形された電子機器、住宅設備のハウジングパネル、浴室ユニットパネル、バスエプロン、防水パンなどを成形する方法として好適である。
【発明の効果】
【００１０】
本発明によれば、ダイより押し出した溶融状態の非晶性熱可塑性樹脂製シートと表皮材とを一対のローラ間で挟圧して貼合一体化し、表皮材が金型のキャビティ側となるように金型間に配置して樹脂成形品を成形することにより、金型内に配置した熱可塑性樹脂シートを再加熱することなくその温度を十分に保持して微細な凹凸であるシボ模様を鮮明に転写することができるとともに、金型間に垂下状に配置される溶融状態の非晶性熱可塑性樹脂製シートと表皮材とを一体化して非晶性熱可塑性樹脂製シートのダウンロード現象に起因する偏肉、破れ等の発生および非晶性熱可塑性樹脂製シートと表皮材との貼合歪みの発生を確実に防止することができる効果が得られるものである。
【図面の簡単な説明】
【００１１】
【図１】本発明の一実施の形態に係る樹脂成形品の成形方法を実施する成形装置の一例を示す全体正面図である。
【図２】図１の成形装置において金型内に熱可塑性樹脂シートを配置した工程を示す断面図である。
【図３】図１の成形装置において図２に示す態様から熱可塑性樹脂シートと金型のキャビティ間を型枠により閉じた工程を示す断面図である。
【図４】図１の成形装置において図３に示す態様から金型を閉じて成形する工程を示す断面図である。
【図５】図１の成形装置において成形された樹脂成形品の裏面側および正面側から見たそれぞれの斜視図である。
【図６】本発明の他の実施の形態に係る樹脂成形品の成形方法を実施する成形装置の断面図である。
【図７】図６の態様から一対の熱可塑性樹脂シートと金型のキャビティ間を型枠により閉じた工程を示す断面図である。
【図８】図７の態様から一対の熱可塑性樹脂シートをそれぞれ対応する金型のキャビティに真空吸着した工程を示す断面図である。
【図９】図８の態様から金型を閉じて成形する工程を示す断面図である。
【図１０】図９の態様から金型を開いて成形品を取り出す工程を示す断面図である。
【図１１】一対のローラおよびその関連構造を示す斜視図である。
【図１２】図１１に示す態様から一対のローラを開いた態様を示す斜視図である。
【発明を実施するための形態】
【００１２】
図１ないし図５において、１はアキュムレータ、２はプランジャー、３はＴダイ、４は押出機、５は熱可塑性樹脂供給ホッパ、６，６は一対のローラ、７，８は金型、９はキャビティ、１０は真空吸引室、１１は吸引孔、１２は圧力流体導入孔、１３は非晶性熱可塑性樹脂シートである。金型８のキャビティ９はシボ模様の転写面を有している。１４，１５は型枠であって金型７，８の外周に位置している。１６は樹脂成形品、１７は表皮層であってシボ模様が形成されている。
【００１３】
押出機４により熱可塑性樹脂を溶融混練した後、アキュムレータ１内のアキュム室に一時的に貯留し、一定間隔ごとにプランジャー２によってＴダイ３に供給する。Ｔダイ３より押出された溶融状態の熱可塑性樹脂シート１３は一対のローラ６，６間にＴダイ３より押し出された溶融状態の非晶性熱可塑性樹脂製シートと表皮材１８とを間隔を開けて配置された一対のローラ６，６間に垂下させ、少なくとも非晶性熱可塑性樹脂製シート１３および表皮材１８の下端が一対のローラ６，６間を通過した後に一対のローラ６，６間の間隔を閉じて溶融状態で押し出された非晶性熱可塑性樹脂シート１３と表皮材１８を一対のローラ６，６間で挟圧して貼合一体化され、一対のローラ６．６で溶融状態の非晶性熱可塑性樹脂製シート１３と表皮材１８を挟圧しながら下方へ向かって送り出して表皮材１８が金型８のキャビティ９側となるように金型７，８間に配置される（図２）。この際、熱可塑性樹脂シート１３の厚み、肉厚分布などを調整することができる。続いて、金型７，８の外周に位置する型枠１４，１５を金型７，８に対して相対的に前進させて前記垂下させた溶融状態の熱可塑性樹脂シート１３と密着させ（図３）、金型８から真空吸引することにより金型８のキャビティ９に吸着させて概ねキャビティ９の形状に沿った形状とする。次いで、熱可塑性樹脂シート１３をキャビティ９に沿わせた後に型締めを行い、金型７，８内に加圧流体を吹き込み熱可塑性樹脂シート１３を金型のキャビティ９に沿った形状に加圧形成するとともに、その表面層１７に凹凸形状からなるシボ模様を転写させる。その後、金型７，８内で冷却された樹脂成形品１６は、金型７．８を開いて離型した後に外周のバリを切除して完成する。
【００１４】
具体的には、まずアキュムレータ１、Ｔダイ３により押出速度が設定される。アキュムレータ１に接続される押出機４の押出し能力は樹脂成形品の大きさにより適宜選択することが可能であるが、１００Ｋｇ／時以上であることが成形サイクルを短縮させる観点から好ましい。このため、アキュムレータ１のアキュム室に貯留された熱可塑性樹脂はＴダイ３のスリットの開口から１ｃｍ２当り５０Ｋｇ／時以上、好ましくは６０Ｋｇ／時以上で押出される。
【００１５】
Ｔダイ３に供給された熱可塑性樹脂は図示しないＴダイ３本体のマニホールドから樹脂流路を通ってスリットから熱可塑性樹脂シート１３として押出される。Ｔダイ３本体は、一対のダイを重ね合わせてなり、Ｔダイ３本体の先端部分において一方のダイリップおよび他方のダイリップがスリット隙間をもって対向しており、スリット隙間の間隔はスリット隙間調製装置１９により設定される。スリット隙間により押出される熱可塑性樹脂シート１３の厚みが決定される。具体的には、Ｔダイ３から０．６〜６．０ｍｍの厚さの熱可塑性樹脂シート１３として押し出される。
【００１６】
Ｔダイ３本体のスリット隙間調整装置１９としては熱膨張式または機械式があり、その両方の機能を併せ持つ装置を用いることが好ましい。スリット隙間調整装置１９はスリットの幅方向に沿って等間隔に複数配置され、スリット隙間調整装置１９によってスリット隙間を狭くしたり、広くしたりすることで幅方向における熱可塑性樹脂シート１３の厚みを均一なものとする。
【００１７】
機械式の調整手段として具体的には、図示しない一方のダイリップに向けて進退自在に設けたダイボルトを有し、その先端に圧力伝達部を介して調整軸が配置されている。調整軸には締結ボルトにより係合片が結合されており、係合片は一方のダイリップに連結されている。ダイボルトを前進させると圧力伝達部を介して調整軸が先端方向に押出されて一方のダイリップが押圧される。これにより、ダイリップは凹溝の部位で変形されてスリット隙間が狭くなる。スリット隙間を広くするにはこれと逆にダイボルトを後退させる。さらに、上記機械式の調整手段に合わせて熱膨張式の調整手段を用いることで精度良くスリット隙間を調整することができる。具体的には、図示しない電熱ヒーターにより調整軸を加熱して熱膨張させることで一方のダイリップが押圧され、スリット隙間が狭くなる。また、スリット隙間を広くするには電熱ヒーターを停止させ、図示しない冷却手段により調整軸を冷却して収縮させる。
【００１８】
Ｔダイ３のスリットの開口から押し出された熱可塑性樹脂シート１３は、ドローダウン、ネックインなどにより肉厚のバラツキが発生することを防止するため表皮材とを一対のローラ間で挟圧して貼合一体化される。
【００１９】
Ｔダイ３のスリットの開口から押し出される熱可塑性樹脂シート１３は金型への転写性、追随性を良好とするため流動性の高い非晶性熱可塑性樹脂材料を用いることが好ましい。具体的には、２３０℃におけるメルトテンション（株式会社東洋精機製作所製メルトテンションテスターを用い、余熱温度２３０℃、押出速度５．７ｍｍ／分で、直径２．０９５ｍｍ、長さ８ｍｍのオリフィスからストランドを押し出し、このストランドを直径５０ｍｍのローラに巻き取り速度１００ｒｐｍで巻き取ったときの張力を示す）が５０ｍＮ以上であり、２００℃におけるＭＦＲ（ＪＩＳ  Ｋ−７２１０に準じて試験温度２００℃、試験荷重２．１６ｋｇにて測定）が３．０〜６０ｇ／１０分、さらに好ましくは３０〜５０ｇ／１０分の樹脂材料を用いる。例えば、アクリロニトリル・ブタジエン・スチレン共重合体、ポリスチレン、高衝撃ポリスチレン（ＨＩＰＳ樹脂）、アクリロニトリル・スチレン共重合体（ＡＳ樹脂）またはその混合物を使用することができる。
【００２０】
図６および７図に示すように、本発明に係る製造方法により形成される樹脂成形品１６は単壁構造であり、表皮層１７シボ模様が転写されている。そしてこの樹脂成形品１６はバスエプロンなどの浴室パネル、各種機器のハウジングパネルなどとして用いることができる。
【００２１】
樹脂成形品１６には表皮材１８により表皮層１７を施すことにより複数の異なる樹脂からなる多層構造とすることができる。表皮材１８はドローダウン、ネックインなどにより肉厚のバラツキが発生することを防止する目的として構成されるものであり、あわせて外観性向上、装飾性、成形品と接触する物の保護機能を有することが好ましい。表皮材の形態はシート、フィルムなどであり、印刷層が外面に付された樹脂シート、透明または着色した樹脂シート、合成皮革等の厚みが０．１〜３．０ｍｍのものが使用できる。表皮材の厚み大き過ぎると金型形状に追従せず成形が困難となり、厚みが小さ過ぎると非晶性熱可塑性樹脂製シートのドローダウン、ネックインを好適に防止することができなくなる。表皮材の素材としては、ポリエステル、ポリプロピレン、ポリアミド、ポリウレタン、アクリル樹脂、熱可塑性エラストマーが挙げられる。表皮材を樹脂成形品の表面に貼着させるには、溶融状態で押し出された熱可塑性樹脂シート１３を一対のローラ６，６間で挟圧して送り出す際に表皮材を同時にローラ６，６間に送り込む。これにより、熱可塑性樹脂シート１３と表皮材とを熱溶着により貼合一体化することができ、その後は前記成形工程と同様に表皮材をラミネートした熱可塑性樹脂シート１３を表皮材がシボ模様の転写面を有する金型８のキャビティ９側となるように金型７，８間に垂下させて、キャビティ９に真空吸着させるとともに加圧流体によって押圧して樹脂成形品の表皮材を貼着した側にシボ模様を転写することができる。なお、表皮材１８は熱可塑性樹脂シート１３と一対のローラ６，６によって熱溶着される際に軟化点温度まで昇温されたものと考えられる。表皮材１８の引張強度は、ドローダウン発生防止の観点から、１５ｋｇ／ｃｍ２以上であることが好ましく、伸度は、３０％以上であることが好ましい。なお、かかる引張強度及び伸度の値は、温度２０℃においてＪＩＳ−Ｋ−７１１３に準拠して測定したものである。
【００２２】
一対のローラ６，６は内部に温水を循環させることにより５０〜１１０℃の範囲に調整されている。また、一対のローラ６，６は、図１１および図１２に詳細を示すように、ギアによる回転同調機構２０により回転速度が同一となるように構成されている。一対のローラ６，６はその一方が位置固定され、かつ他方が開閉機構２１により開閉自在となっている。
【００２３】
本発明に係る樹脂成形品の成形方法は、図６ないし図１０に示すように、一対の熱可塑性樹脂シート１３，１３により中空二重壁構造の樹脂成形品を前記成形態様と同様に成形することができる。この場合において中空二重壁構造の樹脂成形品にはその両方の壁の表面に表皮層１７，１７が積層される。そして、その表皮層１７，１７の両方またはいずれか一方にシボ模様を転写することも可能である。なお、図１に示す構成と同等の箇所には同符号を付して説明を省略する。
【符号の説明】
【００２４】
１  アキュムレータ
２  プランジャー
３  Ｔダイ
４  押出機
５  熱可塑性樹脂供給ホッパ
６，６  一対のローラ
７，８  金型
９  キャビティ
１０  真空吸引室
１１  吸引孔
１２  圧力流体導入孔
１３  熱可塑性樹脂シート
１４，１５  型枠
１６  樹脂成形品
１７  表皮層
１８  表皮材
１９  スリット隙間調整装置
２０  回転同調機構
２１  開閉機構
【図１】
0005537885.tif 000002
【図２】
0005537885.tif 000003
【図３】
0005537885.tif 000004
【図４】
0005537885.tif 000005
【図５】
0005537885.tif 000006
【図６】
0005537885.tif 000007
【図７】
0005537885.tif 000008
【図８】
0005537885.tif 000009
【図９】
0005537885.tif 000010
【図１０】
0005537885.tif 000011
【図１１】
0005537885.tif 000012
【図１２】
0005537885.tif 000013